(57)【要約】      （修正有）【課題】長期使用しても、チリや汚れが付着しにくく、操作不良もなく、防水効果や安全性に優れる電気湯沸かし器を提供する。【解決手段】中空で中央にガイド筒８を垂下した台座本体２に、ガイド筒８内下部を封鎖するようにヒーター４埋設の円盤状の熱板５を張設し、ヒーター４をＯＮ、ＯＦＦするスイッチ７を設け、台座本体２の前面の窪み部の一部を形成する底壁中央に挿通口を穿設する。スイッチ７は、挿通口を介して台座本体２内に圧入装着するスイッチ本体と、スイッチ本体の上方に配置するスイッチボタン部と、スイッチボタン部の中段側壁外周面に張設した環状のスイッチ支持部とからなり、スイッチ７の上部を覆う帽子状のシールキャップには、スイッチボタン部を覆う頭部と、スイッチ支持部を覆う鍔部とが一体形成され、鍔部の下端面に底壁表面の複数の小突起が食い込んでいる。【選択図】図２
0003161410.tif 000002
【実用新案登録請求の範囲】
【請求項１】
内部中空で中央にガイド筒(８)を垂下した台座本体(２)と、この台座本体(２)のガイド筒(８)内下部を封鎖するようにヒータ−(４)埋設の円盤状の熱板(５)を張設し、ヒータ−(４)をＯＮ、ＯＦＦするスイッチ(７)を設け、台座本体(２)の前面に窪み部(９)を設け、この窪み部(９)の一部を形成する底壁(１１)中央に台座本体(２)内と連通する挿通口(１０)を穿設し、スイッチ(７)を窪み部(９)内に配置し、熱板(５)上に液体収容の容器(６)を着脱自在に装着し、容器(６)内の液体を熱板(５)を介して加熱する電気湯沸かし器(１)に於いて、上記窪み部(９)の挿通口(１０)周りの底壁(１１)表面に適宜の間隔を隔てて複数の小突起(１２)、(１２)を配置する一方、スイッチ(７)が挿通口(１０)を介して台座本体(２)内に圧入装着するスイッチ本体(７ａ)と、スイッチ本体(７ａ)の上方で底壁(１１)の上部の窪み部(９)内に配置するスイッチボタン部(７ｂ)と、スイッチボタン部(７ｂ)の中段側壁外周面に張設した環状のスイッチ支持部(７ｃ)とからなり、スイッチ(７)の上部を覆う帽子状のシールキャップ(１３)を設け、このシールキャップ(１３)には、スイッチボタン部(７ｂ)を覆う頭部(１３ａ)と、スイッチ支持部(７ｃ)を覆う鍔部(１３ｂ)とが一体形成され、鍔部(１３ｂ)の下端面に窪み部(９)の複数の小突起(１２)、(１２)が食い込んでいることを特徴とした電気湯沸かし器。
【考案の詳細な説明】
【技術分野】
【０００１】
本考案は、ヒータ−のＯＮ、ＯＦＦ操作用のスイッチを備えた電気湯沸かし器に関するものである。
【背景技術】
【０００２】
従来、液体(水)を使う浄水装置や電気湯沸かし器等に用いられる押ボタンタイプのスイッチとしては、本体ケース１０に押ボタン収納窪み１１を設け、この収納窪み１１の中央に押ボタン２０の押軸２１を挿通する押軸挿通孔１２を設け、押ボタン２０をアクションスペーサ３０を介してこの収納窪み１１内に押し込んだ構造の押ボタン装置が実用新案登録第３０３４９０８号として存在する。
【先行技術文献】
【特許文献】
【０００３】
【特許文献１】実用新案登録第３０３４９０８号
【考案の概要】
【考案が解決しようとする課題】
【０００４】
ところが、この種の浄水装置や電気湯沸かし器等に用いられる押ボタンタイプのスイッチでは、アクションスペーサが押ボタンの押圧部下側に配置されているので、押ボタン収納窪みと押ボタンの押圧部及びアクションスペーサ部分との間に大きな隙間が生じるために、長期使用に際し、押ボタンの表面にチリや汚れが付着し、非常に不潔となり、ひいては操作不良となる恐れが生じるという問題点があった。
又、長期使用に際し、押ボタン収納窪み内に常に水滴が溜まり易く、押軸挿通孔よりスイッチ本体内に水滴が進入する恐れが生じ、安全性を脅かすという問題点があった。
【課題を解決するための手段】
【０００５】
本考案は、内部中空で中央にガイド筒８を垂下した台座本体２と、この台座本体２のガイド筒８内下部を封鎖するようにヒータ−４埋設の円盤状の熱板５を張設し、ヒータ−４をＯＮ、ＯＦＦするスイッチ７を設け、台座本体２の前面に窪み部９を設け、この窪み部９の一部を形成する底壁１１中央に台座本体２内と連通する挿通口１０を穿設し、スイッチ７を窪み部９内に配置し、熱板５上に液体収容の容器６を着脱自在に装着し、容器６内の液体を熱板５を介して加熱する電気湯沸かし器１に於いて、上記窪み部９の挿通口１０周りの底壁１１表面に適宜の間隔を隔てて複数の小突起１２、１２を配置する一方、スイッチ７)が挿通口１０を介して台座本体２内に圧入装着するスイッチ本体７ａと、スイッチ本体７ａの上方で底壁１１の上部の窪み部９内に配置するスイッチボタン部７ｂと、スイッチボタン部７ｂの中段側壁外周面に張設した環状のスイッチ支持部７ｃとからなり、スイッチ７の上部を覆う帽子状のシールキャップ１３を設け、このシールキャップ１３には、スイッチボタン部７ｂを覆う頭部１３ａと、スイッチ支持部７ｃを覆う鍔部１３ｂとが一体形成され、鍔部１３ｂの下端面に窪み部９の複数の小突起１２、１２が食い込んでいる構成としている。
【考案の効果】
【０００６】
本考案は、従来の問題点を解決したものであって、長期使用に際しても、スイッチボタンの表面にチリや汚れが付着しにくく、操作不良もなく、防水効果にも優れ、常に安全性を保持することができる電気湯沸かし器を提供するにある。
【図面の簡単な説明】
【０００７】
【図１】本考案実施例の正面面。
【図２】図１のＡ−Ａ線断面図。
【図３】図２のＢ部拡大図。
【図４】本考案実施例の要部を示す分解斜視図。
【図５】図４のＣ部拡大図。
【考案を実施するための形態】
【０００８】
電気湯沸かし器１は、所定の温度に加熱して使用する所謂調乳用のものであって、 台座本体２と、台座本体２の底部を覆う底体３と、台座本体３の中央上部に張設し、かつヒータ−４を備えた熱板５と、熱板５上に着脱自在に装着し、かつ液体を収容する容器６と、ヒータ−４をＯＮ、ＯＦＦするスイッチ７とから構成されている。
【０００９】
台座本体２は、耐熱性合成樹脂材料にて形成しており、図２に示すように、内部中空で上面中央を開口して、この開口を形成する周壁が下方に垂下してなるガイド筒８を設けている。このガイド筒８の下端には、中央に向けて環状の受部を設け、この受部の上面に後述の熱板５が張設されている。
【００１０】
台座本体２は、図２及び図５に示すように、前面略中央に内側に向けて円形状の窪み部９を設けている。
この窪み部９は、この窪み部を形成する底壁１１の中央に台座本体２内へ貫通する挿通口１０を穿設している。この挿通口１０の周りの底壁１１表面には、図３及び図５に示すように、適宜の間隔を隔てて複数の上向きに小さくなった小突起１２、１２を配設している。
この小突起１２、１２は、後述のシールキャップ１３の鍔部１３ｂ下面に当接して、鍔部１３ｂ内に食い込み、シールキャップ１３の滑りを防いで、シールキャップによる防水性を向上させ、後述のスイッチボタン部７ｂからシールキャップの離脱をも防いでいる。
【００１１】
底体３は、台座本体３と同一の耐熱性合成樹脂材料にて図２に示すように、台座本体の下端外周を覆うように皿状に形成している。
【００１２】
熱板５は、熱伝導性の良好な金属材料、特にアルミダイキャスト等により、図２に示すように、円盤状に形成している。
熱板５は、台座本体２の受部上にシールパッキンを介して張設しており、熱板５下端ほぼ中央には、熱板の温度を感知するサーモスタットやサーミスタ等の温度感知器１５が固定されている。
【００１３】
熱板５を加熱するヒーター４は、シーズヒーターで熱板５の下部にリング状に埋設しており、後述の電源制御部を介して電源が制御されている。
１６は、外部電源を供給するための電源用リード線で、ヒーター４や後述のスイッチ７の通電を制御する電源制御部へと電源を供給している。
【００１４】
ヒーター４をＯＮ、ＯＦＦするスイッチ７は、図２及び図５に示すように、スイッチ軸部を有するスイッチ本体７ａと、このスイッチ本体の上部に突出したスイッチボタン部７ｂと、このスイッチボタン部の中段側壁外周面に張設した環状のスイッチ支持部７ｃとから構成されている。
【００１５】
このスイッチ７は、図２及び図３に示すように、台座本体２の窪み部９内に挿入されて、スイッチ本体７ａが挿通口１０を貫通して台座本体内へ導かれている。このスイッチ本体７ａは、配線を介して電源制御部に接続している。スイッチボタン部７ｂは、左右反転に伴い、又はスイッチボタン部７ｂ側への押圧に伴いＯＮ、ＯＦＦする操作状態としている。  スイッチ支持部７ｃは、スイッチ本体７ａの上面との間に隙間を設けている。
【００１６】
このスイッチ７は、窪み部９内に挿入される前にシールキャップ１３により上部が覆われている。
このシールキャップ１３は、ゴムや合成樹脂等の弾性材料にて帽子状に形成し、図３又は図５に示すように、傘状の頭部１３ａと、この頭部の下端の周りを大きく囲んだ縦断面コ字状の環状の鍔部１３ｂとを一体形成している。
【００１７】
このシールキャップ１３では、図２及び図３に示すように、頭部１３ａがスイッチボタン部７ｂの上部を被すように覆い、鍔部１３ｂがスイッチ支持部７ｃの表面全体を被すように覆っている。
この窪み部９内へのスイッチ７挿入後、シールキャップ１３の鍔部１３ｂの下端面には、窪み部の底壁１１に設けた複数の小突起１２、１２がそれぞれ食い込んでいる。
【００１８】
この小突起１２の食い込みによって、窪み部９内でのシールキャップ１３の滑りが規制されて、シールキャップ１３が窪み部より抜けでることもなく、更にスイッチ７からも離脱することもなくなり、長期使用に際しても、確実に防水性を発揮することができる。又、指が直接スイッチ７にタッチすることがないために、スイッチ７の表面が汚れにくくなる。更に、シールキャップ１３を簡単に取り外すことができ、簡単に掃除することもできる。
【００１９】
容器６は、耐熱性ガラス等の材料により、口元を若干狭くした後広げた徳利状に形成して、この狭くしたくびれ部分の外側にリング体を装着しており、このリング体にハンドル１７を固定している。
１８は、容器６の口元を開閉する蓋体である。
【００２０】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００２１】
１…電気湯沸かし器
２…台座本体
３…底体
４…ヒーター
５…熱板
６…容器
７…スイッチ
７ａ…スイッチ本体
７ｂ…スイッチボタン部
７ｃ…スイッチ支持部
８…ガイド筒
９…窪み部
１０…挿通口
１１…底壁
１２、１２…小突起
１３…シールキャップ
１３ａ…頭部
１３ｂ…鍔部
１５…温度感知器
１６…電源用リード線
１７…ハンドル
１８…蓋体
【図１】
0003161410.tif 000003
【図２】
0003161410.tif 000004
【図３】
0003161410.tif 000005
【図４】
0003161410.tif 000006
【図５】
0003161410.tif 000007